Podtech/llm-jp-corpus-v4-ja_patent huggingface dataset:
(57)【要約】【課題】靴着用時に外反母趾を予防でき、なお、靴のデザイン・サイズ等を問わず、全ての靴に適用される靴の中敷を提供する。【解決手段】中敷前部に高さ（Ａ）をつけることにより、靴の中で中敷が一定置より前にずれることを防ぎ、中敷の第一趾と第二趾の付け根部分に鼻緒のように突起（Ｃ１）をつけることにより、足が一定位置より前にずれることを防ぐ。また、突起の上部が靴を傷めないよう、靴の外にはみ出さないよう、突起上部前方にのみ、（Ｃ１）の続きで丸み（Ｃ２）を付ける。底（Ｂ）は足が滑らないよう低い隆起をつけ、全体の大きさは、全靴に適用するため、足の裏の前半分の大きさにする。【選択図】  図１
0003105781.tif 000002
【実用新案登録請求の範囲】
【請求項１】
第一趾と第二趾の付け根部分から鼻緒のような立ち上がりをつける事により、中敷の上での足のずれを防ぎ、中敷の前方に高さをつける事により、靴の中での中敷のずれを防ぐ、外反母趾予防全靴適応中敷
【考案の詳細な説明】
【考案の詳細な説明】
【技術分野】  本考案は外反母趾を予防するための靴の中敷に関する。
【背景技術】  靴においては靴の前方を広くしても、指先が靴先に押し付られ、外反母趾やハンマートウ−になってしまった。中敷をもってしても、足が前方へずれて、足の痛みをやわらげる事ができなかった。また、靴の先端の形や長さによっては、靴底に合わない中敷があった。
【考案の開示】
・
【考案が解決しようとする課題】
従来、靴の中で足が前方へずれて指先が靴の先端部分におしこまれ、外反母趾になってしまっていた
・
【課題を解決するための手段】
第一趾と第二趾の付け根部分から鼻緒のような立ち上がりをつける事により、中敷の上での足のずれを防ぎ、中敷の前方に高さをつける事により、靴の中での中敷のずれを防ぐ、外反母趾予防全靴適応中敷
・
【考案の効果】
個人の、第一趾と第二趾の付け根から足の先端までの長さ（Ｌ）より数ミリメートル長いこの中敷を、靴着用時に使用し、指先が靴先にあたるのを防ぎ、また、底（Ｂ）には隆起を付け足が前にずれるのをより防ぐ。中敷自体は、その幅と、前方の高さ（Ａ）があるため前へずれない。
靴を傷めないよう突起の上部に丸みを持たすため（Ｃ２）をつける。なお、その丸みは靴の上部から後方にはみ出さないよう、図１のように前方のみに付ける。長さ（Ｌ）は、人によって違うので、いろいろなサイズを作る。
【考案を実施するための最良の形態】個人の指の長さに合ったものをひとつ持つことにより、靴のデザイン・サイズ等を問わず、全ての靴に適応され、外反母趾の予防になる。
【図面の簡単な説明】
【図１】靴着用時に中敷を用い、靴上部を除いた、上からみた平面図である。
【図２】図１の側面断面図である。
【図３】中敷のみを上からみた図である。
【図４】中敷のみを横からみた図である。
【符号の説明】
Ａ    中敷全体が靴の中で一定位置より前にずれることを防ぐ高さ
Ｂ    中敷の底部    足が中敷の上で前にずれることを防ぐため、表面に低い隆起を付けている
Ｃ１  足の滑り止め用突起    第一趾と第二趾の付け根の部分にあてる
Ｃ２  Ｃ１の上部    靴を傷めない様、また、靴からはみ出さない様、前部にのみ、丸みを付けている
【図１】
0003105781.tif 000003
【図２】
0003105781.tif 000004
【図３】
0003105781.tif 000005
【図４】
0003105781.tif 000006
(57)【要約】【課題】靴の中に敷きやすく、蒸れを防止する靴用中敷きを提供する。【解決手段】  スリッパ形状の構成であって、下部底には踵側から足指股部に向かって流れる空気の通路溝を形成すると共に、甲部は隙間を形成した二重構造に形成し、該二重構造の前記足指股部相当箇所には、足指股部付近で吹出する空気が二重構造の隙間内に流入されるための導入口を穿設し、上記足指股部付近の空気を二重構造内の隙間を介して足首側へ排出させるものとする。この際、空気の流通溝を下部底内の周囲を取巻くように設ける。【選択図】図１
0003105789.tif 000002
【実用新案登録請求の範囲】
【請求項１】
スリッパ形状の構成であって、下部底には踵側から足指股部に向かって流れる空気の通路溝を形成すると共に、甲部は隙間を形成した二重構造に形成し、該二重構造の前記足指股部相当箇所には、足指股部付近で吹出する空気が二重構造の隙間内に流入されるための導入口を穿設し、上記足指股部付近の空気を二重構造内の隙間を介して足首側へ排出させるものとしたことを特徴とする靴用中敷き。
【請求項２】
空気の流通溝を下部底内の周囲を取巻くように設けたことを特徴とする請求項１記載の靴用中敷き。
【請求項３】
二重構造の隙間寸法は凡そ２〜３ｍｍとなしたことを特徴とする請求項２記載の靴用中敷き。
【考案の詳細な説明】
【技術分野】
【０００１】
本考案は、靴用中敷きに関するものである。
【背景技術】
【０００２】
従来から、靴内の蒸れを防止するため通気性のある靴用中敷きが市販されており、さらには実開平７−１３２０６公報或いは実用新案登録第３０８５４５５号公報に示されているように、踵部にポンプ等を装着して、踵からつま先部或いは靴内部へ空気を吹き出させるものが提案されている。
しかしながら、これらの靴用中敷きは空気をつま先部或いは靴内部へ吹き出すのであって、靴に通気性のないものにおいては蒸れが解消しないという問題がある。
そこで、特開平９−２１５５０４公報に示されているように、踵部、底部及び甲部で構成されるネットに細長いクッションを隙間をあけて空気が流れるように取り付け、踵部及び甲部から靴内の空気が排出する靴の中敷きが提案されている。
【特許文献１】実開平７−１３２０６公報
【特許文献２】実用新案登録第３０８５４５５号公報
【特許文献３】特開平９−２１５５０４公報
【考案の開示】
【考案が解決しようとする課題】
【０００３】
しかしながら、この例の靴の中敷きは底部と甲部が甲部の一部分でしか繋がっていないので靴の中に敷きにくいという問題がある。
そこで、本考案は、係る問題点を解決すべく、靴の中に敷きやすく、蒸れを防止する靴用中敷きの提供を目的とするものである。
【課題を解決するための手段】
【０００４】
本考案に係る靴用中敷きは、スリッパ形状の構成であって、下部底には踵側から足指股部に向かって流れる空気の通路溝を形成すると共に、甲部は隙間を形成した二重構造に形成し、該二重構造の前記足指股部相当箇所には、足指股部付近で吹出する空気が二重構造の隙間内に流入されるための導入口を穿設し、上記足指股部付近の空気を二重構造内の隙間を介して足首側へ排出させるものとしたことを特徴とする。この際、空気の流通溝を下部底内の周囲を取巻くように設けたり、二重構造の隙間寸法は凡そ２〜３ｍｍとなしたりする。
【考案の効果】
【０００５】
本考案は以上の通り構成するものであって、スリッパ形状の構成により、靴の中に敷きやすくなり、空気が踵側から通路溝を通って足指股部付近に入り、足指股部付近で吹出する空気が二重構造の導入口から入り、二重構造内の隙間を介して足首側へ排出させるものとしたことにより、蒸れを防止することができるものとなる。
【考案を実施するための最良の形態】
【０００６】
以下、図面に示す実施の形態について説明する。
図１は本考案に係る靴用中敷きの斜視図で、図２は下部底の分解説明図で、図３は下部底の斜視図で、図４は下部底及び甲部の分解説明図で、図５は下部底と甲部を結合した状態の説明図である。本考案に係る靴用中敷き１は、スリッパ形状であり、下部底２と甲部３からなる。
【０００７】
図２及び図３に示す如く、下部底２は上面シート４、スポンジ体５及び下面シート６からなる。上面シート４は踵側から足指股部に向かって下部底内の周囲を取巻くように細長い穴７、８が形成されており、該穴７、８の端部であるところの足指股部付近箇所９、１０はふくらみを持たせたものとなし、該箇所の間に２つの穴１１、１２が形成されている。また、下部底２の周縁には下方から上方に向けて側部１３が延設されている。
【０００８】
スポンジ体５は一定厚さがあり、足指股部付近箇所が欠けており、この欠けた箇所は上面シート４と下面シート６に挟まれ隙間１４が形成されるものとなす。またスポンジ体５において上面シート４の細長い穴７、８が重なる部分に同様に細長い穴１５、１６が形成され、上面シートの穴１１、１２とスポンジ層の穴１５、１６と下面シート６により踵側から足指股部の隙間１４に向かって空気の流れる通路溝３１、３２を形成するものとなる。
【０００９】
次に甲部３について説明する。図４及び図５に示す如く、甲部３は上面シート１８及び下面シート２０からなり、複数のスポンジ体を介して隙間を形成した二重構造を形成している。この際、二重構造の隙間寸法ｄは凡そ２〜３ｍｍとなすものとする。そして、下面シート２０には足指股部付近に４つの導入口２１、２２、２３、２４が穿設されている。そして、スポンジ体は厚さ寸法は凡そ２〜３ｍｍとなし、足の指の前方を覆う位置は細長いスポンジ片２５からなり、足の指の後方から開口部までの位置は細長い３つのスポンジ片２６、２７、２８からなり、これらスポンジ片２６、２７、２８と上面シート１８と下面シート２０によって、足指股部付近に隙間３３及び該隙間３３から足首側に向けて空気が通る隙間３４、３５を形成するのである。なお、甲部３の下部は下部底２の側部１３に取り付けられている。
【００１０】
そうして、下部底２の通路溝３１、３２から足指股部付近へ、さらに甲部３の下面シートの導入口２１、２２、２３、２４から隙間３３、３４、３５を通って、足首側に空気が流れ、蒸れを防止することができるものとなる。
【図面の簡単な説明】
【００１１】
【図１】本考案に係る靴用中敷きの斜視図である。
【図２】下部底の分解説明図である。
【図３】下部底の斜視図である
【図４】下部底及び甲部の分解説明図である。
【図５】下部底と甲部を結合した状態の説明図である。
【符号の説明】
【００１２】
１    靴用中敷き
２    下部底
３    甲部
４    上面シート
５    スポンジ体
６    下面シート
７、８  細長い穴
９、１０  細長い穴の端部
１１、１２  穴
１３  側部
１４  隙間
１５、１６  細長い穴
１８  上面シート
２０  下面シート
２１、２２、２３、２４  導入口
２５、２６、２７、２８  スポンジ片
３１、３２  通路溝
３３、３４、３５  隙間
【図１】
0003105789.tif 000003
【図２】
0003105789.tif 000004
【図３】
0003105789.tif 000005
【図４】
0003105789.tif 000006
【図５】
0003105789.tif 000007
(57)【要約】      （修正有）【課題】各社員の行動予定を社内にいる他の社員が容易に確認できる行動予定表を製作する。【解決手段】入力スイッチ０４によって入力された個人の在、不在状況、又は会議室などの使用、不使用状況と、スイッチ０５によって入力された個人の不在時間帯、又は会議室などの使用時間帯を制御手段によって表示部分０７に表示する。又、表示部分０７に表示された情報を、データ送信手段により発信し、他の装置はデータ受信手段により受信し、制御手段によって表示部分０７に表示する。【選択図】図２
0003105782.tif 000002
【実用新案登録請求の範囲】
【請求項１】
スイッチで入力された情報をＬＥＤや電球で表示し、１台又は複数台と無線又は有線で互いに情報を送受信できるようにした移動端末を使用しない行動予定表。
【考案の詳細な説明】
【考案の開示】
【考案が解決しようとする課題】
【０００１】従来、企業内において、ホワイトボードを使用した行動予定表は、建造物内の所定の場所に設置する物であったため、離れた場所や、障害物がある場合に確認が困難だという問題や、複数個を設置した場合には１つ１つに水性ペンで記入しなければならないという問題を有していた。
【課題を解決するための手段】
【０００２】上記目的を達成するために、１カ所の電子行動予定表で入力された情報を、ＬＥＤや電球で表示し、さらに他の同型の装置にその情報を無線や有線で送受信できるようにした。
【考案の効果】
【０００３】視認性の悪かった場所に電子行動予定表を設置すれば、各社員が入力した最新の行動予定を見やすく表示することができる。また、個人の行動予定以外にも、会議室などの使用予定も表示させることができる。
【図面の簡単な説明】
【０００４】
【図１】本考案の概要図である。
【図２】装置の斜視図である。
【図１】
0003105782.tif 000003
【図２】
0003105782.tif 000004
(57)【要約】【課題】  本考案はダシ濾し不要の不織布等の袋は、食材が不織布等で完全密閉されているため、不織布等の袋に通水できるホール（穴）を設けることにより、ダシのうま味や香りが出難いという欠点を解消する。【解決手段】  本考案は、不織布等の袋に通水できるホール（穴）を設け、不織布等を通してではなく、袋内部と外部の通水をしやすくすることにより、直接、食材と水が接し、本来の食材を直接煮詰めてダシを取る作業と変わらない理想的条件を満たすことを可能にし、問題を解決している。【選択図】  図１
0003105780.tif 000002
【実用新案登録請求の範囲】
【請求項１】
だしパック用不織布等の袋本体に通水ホール（穴）を設け、ダシのうま味、香りを最大限に引き出すことを特徴とする通水ホール付きだしパック袋
【考案の詳細な説明】
【技術分野】
【０００１】  本考案は、不織布等の袋に通水ホール（穴）を設けた、だし用袋に関するものである。
【背景技術】
【０００２】  飲食店、家庭等においてだしパックでだしを取る場合、だしを取る食材は完全に不織布等で密閉された袋を使用していた。
【考案の開示】
【考案が解決しようとす課題】
【０００３】  飲食店、家庭等において、鰹節、昆布や煮干し等々のダシを取る場合、水を張った鍋、寸胴等に直接食材を入れ、煮詰めてダシを取り、ダシ殻を濾す作業を行う。この場合、ダシを濾す作業が不可欠となるため、労働的負担と衛生面から、不織布等の袋入り食材を使用することが多い。しかし、ダシ濾し不要の不織布等の袋入り食材は、食材が不織布等で完全密閉されているため、ダシのうま味や香りが出難いという欠点があった。従って、不織布等の袋に通水できるホール（穴）を設けることにより、前述の欠点を解決しようとするものである。
【課題を解決するための手段】
【０００４】  本考案は、不織布等の袋に通水できるホール（穴）を設け、不織布等を通してではなく、袋内部と外部の通水をしやすくすることにより、直接、食材と水が接し、本来の食材を直接煮詰めてダシを取る作業と変わらない理想的条件を満たすことを可能にし、問題を解決している。
【考案の効果】
【０００５】  上述の様に、本考案の通水ホール付き不織布等の袋はダシを濾す作業が不要なのは勿論、不織布等の袋にホール（穴）を設けたので、袋内外部の通水により食材が持つ本来のうま味と香りを十分に引き出すことに役立つ。
【考案の実施するための最良の形態】
【０００６】  不織布袋に食材より小さい２箇所以上の穴を設け、食材を入れたとき食材が穴から出ない状態を確認し、袋の開口部を閉じる。開口部を閉じる際はシーラー（熱式）や紐等を使用する。
【実施例】
【０００７】  以下、添付図面に従って一実施例を説明する。１は不織布袋本体、２は袋の内部に通水しやすくするために設けたホール（穴）。３は不織布の袋ののりしろＡである。４は食材を入れる開口部。食材を投入後４の開口部を閉じることにより食材が袋から出ることを防止する。５は開口部に熱シーラーを利用し、閉じるためののりしろＢである。【０００８】  本考案の一実施例は上述の如き構成からなるものであるから、袋本体１に食材を入れ開口部４を閉じることでだしパックとしてもちいることは勿論、２に設けた通水ホール（穴）により袋内外部の通水を容易にし、食材が持つ本来のうま味と香りが十分に引き出される。
【図面の簡単な説明】
【０００９】
【図１】本考案の通水ホール付き不織布等袋の一実施例を示す正面図である。
【図２】本不織布袋の一部切断図である。
【符号の説明】
【００１０】  １  不織布本体
２  ホール（穴）
３  のりしろＡ
４  開口部
５  のりしろＢ
【図１】
0003105780.tif 000003
【図２】
0003105780.tif 000004
(57)【要約】【課題】  食材を簡単、容易、且つ綺麗に長手方向に１回で飾り切り等の加工が出来る調理用カッターの提供。【解決手段】  断面がＷ字形状であって前後に伸延して成る刃１を有し、該刃1の上縁部２且つ前後方向の中央近傍に柄３の先端３ａを固定し、柄３と刃１の間にＷ字形状の輪郭に沿って溝状凹部４を形成することを特徴とする。【選択図】        図１
0003105773.tif 000002
【実用新案登録請求の範囲】
【請求項１】
断面がＷ字形状であって前後に伸延して成る刃を有し、該刃の上縁部且つ前後方向の中央近傍に柄の先端を固定し、柄と刃の間にＷ字形状の輪郭に沿って溝状凹部を形成することを特徴とする調理用カッター。
【考案の詳細な説明】
【技術分野】
【０００１】
寿司等の料理を調理する際に、中に入れる具を所望の形状にカットするための調理用カッターに関する。
【背景技術】
【０００２】
調理する時に用いる食材において、飾り切りを行って花形やその他の飾り模様を施す場合がある。通常は、熟練した調理人が数種類の包丁を駆使して飾り切りを行ったり、或いは型抜き具を用いて花形や葉形などを作って、視覚的効果をねらった調理方法がとられている。また、長い形状にカットするものでは、例えば、板状体を屈折して簡単な形を有する刃物が知られる。
【考案の開示】
【考案が解決しようとする課題】
【０００３】
然しながら、上述の従来例では、寿司等の調理において、中に入れる具を飾り切りする場合、例えば円柱形の食材を長手方向に飾り切りする必要に迫られ、包丁捌きの熟練した技術が要求され、また長手方向に飾り切りする場合、既存の刃物では手間が掛かるという問題がある。
【０００４】
本考案は、上述の点に着目して成されたもので、食材を簡単、容易、且つ綺麗に長手方向に１回で飾り切り等の加工が出来る調理用カッターを提供することを目的とする。
【課題を解決するための手段】
【０００５】
本考案は、下記構成を備えることにより上記課題を解決できるものである。
【０００６】
（１）断面がＷ字形状であって前後に伸延して成る刃を有し、該刃の上縁部且つ前後方向の中央近傍に柄の先端を固定し、柄と刃の間にＷ字形状の輪郭に沿って溝状凹部を形成する調理用カッター。
【考案の効果】
【０００７】
特に、巻き寿司等の料理を調理する際に、中に入れる具を簡単、容易、且つ綺麗に長手方向に１回で飾り切り等の加工が出来る調理用カッターを提供することが出来る。
【考案を実施するための最良の形態】
【０００８】
以下に、本考案に係る調理用カッターの実施の形態について説明する。
【０００９】
図１は、実施例１の要部構成を示す斜視図、図２は、実施例２の要部構成を示す斜視図、図３は、所望の具をＷ字形状にカットした状態を示す断面図、（ａ）はＷ字形状の刃を具に切り込んだ状態の断面図、（ｂ）は刃を抜きとった後のチューリップ形を示す断面図、図４は、チューリップ形断面の具を用いた状態の巻き寿司の切り口の一例を示す図である。
【実施例１】
【００１０】
実施例１について、図１を参照して以下に説明する。
【００１１】
断面がＷ字形状であって前後に伸延して成る刃１を有し、該刃１の上縁部２且つ前後方向の中央近傍に柄３の先端３ａを固定し、柄３と刃１の間にＷ字形状の輪郭に沿って溝状凹部４を形成することを特徴とする。
【００１２】
１ａはＷ字形状の刃先であり、１ｂは刃１の後端部である。
【００１３】
柄３は、Ｕ字形に曲折してほぼ横臥状態に設けてあり、柄３の先端３ａには取り付け用の部材が付設され、柄３の自由端側には手に持った時に滑らないように突起部３ｂが設けてある。
【００１４】
上述の構成を参照して作用を説明する。
【００１５】
祭り寿司など太巻き、海苔巻き、卵巻き、青菜巻き等々の寿司を調理する際、どこの切り口をとっても同じ模様が出るように、例えばチューリップをイメージして調理する場合、ピンク色のチューリップであれば、茹でたり煮たりしたソーセージや人参を長手方向（縦）に、図３（ａ）に示すように、断面Ｗ字形状の刃１を柄３を持って刃１の方向と具（ソーセージ、人参など）の縦方向とを平行にして本考案に係る調理用カッターを１回切り込み加工するだけで、図３（ｂ）に示すように、形の綺麗なチューリップ形が出来あがる。
【００１６】
チューリップ形の色が黄色であれば、棒状のチーズや沢庵などを用いても良い。
【００１７】
図４は、祭り用の巻き寿司の一例であり、チューリップの花形６に、青菜を用いた茎８、例えば胡瓜を縦に割いた葉９、外側を海苔１０で巻いた太巻き寿司の一例である。
【実施例２】
【００１８】
実施例２は、図２に示すように、実施例１に加えて、刃１の刃先１ａ、後端部１ｂ且つ上縁部２の両端近傍に補強用となる部材５、５を刃１のＷ字形状両側に跨って固設した例である。その他の符号、及び機能については、実施例１と同様であるので、説明を省略する。
【００１９】
実施例１、実施例２共に、刃先１ａが調理者側から良く見えるように構成されているので、所望の具にあてがった時にその状態を確実に視認でき、安心して飾り切りができる。
【００２０】
また、柄３の形状をＵ字形としたことで、調理者が本考案の調理用カッターを使用する時に、具に対して押すようにしても、また引くように扱っても、更には左右方向どちら側でも自在に動かすことが出来、安心して使えることが特徴となっている。
【００２１】
尚また、刃１の先端部のみを刃先１ａとするのみならず、後端部１ｂを刃先として、両刃形状とすることもできる。片刃とするか、両刃とするかの選択は自由である。
【００２２】
他の符号について、６ａはチューリップの花形６以外の切り取られる部分であり、７はチューリップの花形６のＷ字形状の切り口である。
【００２３】
即ち、縦長の食品素材を長手方向に切り込んで断面が飾り模様を形成する調理用カッターであって、刃先の形状がＷ型で、縦長の食品素材の断面となる切り口が何処を切っても、例えばチューリップの花模様形状を示し、Ｕ字形の柄を付けることで、押しても引いても、更に左右に動かしても加工でき、更に一つの模様が１回で加工可能な調理用カッターを提供出来る。
【００２４】
尚、本発明に係るこの調理用カッターは寿司用の具だけではなく、調理用として広く利用できることは勿論である。
【００２５】
尚また、Ｗ字形状の刃１と柄３の先端３ａ、及び補強用の部材５の取り付け部は、刃１の上縁部２に対しやや浮かして隙間を設けるようにして取り付けても良い。
【図面の簡単な説明】
【００２６】
【図１】実施例１の要部構成を示す斜視図
【図２】実施例２の要部構成を示す斜視図
【図３】所望の具をＷ字形状にカットした状態を示す断面図、（ａ）Ｗ字形状の刃を具に切り込んだ状態の断面図、（ｂ）刃を抜きとった後のチューリップ型を示す断面図
【図４】チューリップ型断面の具を用いた状態の巻き寿司の切り口の一例を示す図
【符号の説明】
【００２７】
１  刃
１ａ  刃先
２  上縁部
３  柄
４  溝状凹部
５  部材
６  チューリップの花形
７  Ｗ字形状の切り口
【図１】
0003105773.tif 000003
【図２】
0003105773.tif 000004
【図３】
0003105773.tif 000005
【図４】
0003105773.tif 000006
(57)【要約】【課題】  本考案は切手に切り取り線を設けることで切り離しができ、組み合わせる事により金額設定が自在に行えることで、利便性を追求する。【解決手段】  本考案は切手本体Ｍに、絵や写真、金額に値する数字をプリントした部分Ｅを設け、また必要性に応じて切り取る、切り取り線Ｇがある。なおかつ、切り離しても見劣りのないシャープな三角形によりデザイン的な部分においても問題を解決している。【選択図】  図１
0003105779.tif 000002
【実用新案登録請求の範囲】
【請求項１】
目打ち縁のある切手に、切り取りの為の目打ち点線が切手を２等分するような形で設けてある切り離せて使用できることを特徴とした便利切手
【考案の詳細な説明】
【技術分野】
【０００１】  本考案は、目打ち線と切り取り線を有した、機能的で便利な切手に関するものである。
【背景技術】
【０００２】  本来の切手は、全てが定型の形であり、非常に簡素で事務的な添付の役割しか持たなかった。
【考案の開示】
【考案が解決しようとす課題】
【０００３】  従来の切手は、形や様式が定まっており、単に添付を目的だけとした簡素なものである。よって図柄の変化のみの一方的で無味乾燥な切手であることが考えられる。従って、切り取り線を設けたことにより、切り離しが可能となり自在に金額を組み合わせる事で前述の欠点を解決しようとするものである。
【課題を解決するための手段】
【０００４】  本考案は、目打ち線で囲った四角形の切手であり、それを二等分するような形で目打ち点線が走っている。その双方には絵と、金額を意味する数字がそれぞれ印刷されて居り、切り離して使用できる事により、単体として用いる切手よりも便利であることで問題点を解決している。
【考案の効果】
【０００５】  上述の様に、本考案の切手には、ただ単に添付する目的のみならず、郵送料の金額に応じ、切り離しや組み合わせをする事により金額設定が出来る。また、切り離した一片は三角形となり、デザイン的にも斬新で美しいものとなりうる。
【考案の実施するための最良の形態】
【０００６】  便利切手は四角形の切手であり、その４辺は目打ち線で囲ってある。四角形の１つの角から、切り離しの為の目打ち点線が対角に１本走っている。双方には夫々、絵や写真が印刷されてあり、そのなかには金額に値する数字も同じく印刷を施してある。裏面は本来の切手同様に、水分を与えて糊になる加工とする。
【実施例】
【０００７】  以下、添付図面に従って一実施例を説明する。Ｍは、リサイクル可能な原料を使用した白い切手用紙の４辺に目打ち線を施したもの。Ｇは、郵送料に於ける金額調整の必要が発生した場合に、切り離して使用する為の目打ち点線である。Ｅは、夫々に印刷された絵や写真であり、そのなかの夫々の数字は金額を意味する。
【産業上の利用可能性】
【０００８】  この考案における産業上の利用可能性に、郵送料として郵便物などに添付する他、斬新な形なのでコレクションとしての鑑賞用で価値を見出す事ができうる。前述の様に生産方法又は使用方法として、切手はリサイクル可能な白紙等、切手用適宜素材を用いたものであり、必要に応じ、切り離して使用するものとする。
【図面の簡単な説明】
【０００９】
【図１】本考案の便利切手の一実施例を示す正面図である。
【符号の説明】
【００１０】  Ｍ  目打ち線で囲まれた切手本体
Ｅ  絵や写真、金額に相当する数字が印刷された部分
Ｇ  切り取りの為の目打ち点線
【図１】
0003105779.tif 000003
(57)【要約】【課題】花木を容器等に活ける場合、水分の供給や固定のためにスポンジやロックウール等を用いる必要があった。使用後に水分を含んだこれらは直ちに燃すことが出来ず、廃棄物として取り扱われていた。花木は各個の定位置がなく集まってしまったり、傾いたりもした。【解決手段】容器等の中に上部と中間に網を付けた支持金具を入れ、網の穴から花木を入れることによって、花木個々が集まったり、不用意に傾かず整然とした配列が可能となった。各花木は、網により制限されているので、少量の花木で、ボリューム感のある花木植えとすることが可能となった。器具は再利用が出来自然環境の保護も出来る。中間のウレタンやロックウール等は必要がなくなった。【選択図】図１
0003105764.tif 000002
【実用新案登録請求の範囲】
【請求項１】
１上部網、２中間網と支柱３を配し４の下部固定金具は付けても付けなくても良い、５は容器である、１上部網と２中間網を平面もしくは椀状に変形させ、網の形状は上部が上曲がり、中間が下曲がり、上部が下曲がりや平面、中間が上曲がりや平面等、２中間網と４の下部固定金具の位置が入れ替わったり、また、１上部網と２中間網からも花木を差し込むことが出来る、色々な組み合わせで、花木等を容器の中に入れた時にそれらが偏ったり、一部方向に傾かないようにした花木等の配置金具。
【考案の詳細な説明】
【技術分野】
【０００１】
本考案は花木を活ける時に使用する花木配列器具に関するものである。
【背景技術】
【０００２】
本考案は、冠婚葬祭用や祝事などで花木等を生けた場合、これらが一方方向に固まるのを防いだり、傾かないように花木と同時に配置する花木の量を減少させて整然とした配列に見せる金具に関するものである。
【０００３】
従来は、花木の中間や下部に水を含ませたスポンジやロックウール等で固定していたが、花木が傾いたり集まってしまうため、大量の花木を無造作に入れて動かないようにしていた。
【特許文献１】特開２００３―２３０４７０
【考案の開示】
【考案が解決しようとする課題】
【０００４】
これには次のような欠点があった。
Ａ．スポンジやロックウールは水分を大量に含んでおり使用後直ぐ腐ってしまい処理が困難であった。
Ｂ．花木の固定が下部のみであり、上部は束ねるしかなく、大量に花木を使用せざるをえなかった。
Ｃ．花木は密集配置されており、お世辞にも美しい形状になっていなかった。
【考案の効果】
【０００５】
本考案で、花木を固定する部材の廃棄物処理が不要になったり、活けた花木へ上部と中間の網により配列させるため花木が集まってしまったり、傾くことが無くなると同時に、花木の分散配置が可能となり、美しくまとめ上げることが可能となった。
【考案を実施するための最良の形態】
【０００６】
容器の中で、上部と中間に網を付けたザル状の物で花木を固定させ形状も容器に合わせ、最小の部品点数で実現した。
【実施例１】
【０００７】
図１は、本考案装置の実施例のイメージ図であって、１〜５は図２図３も同様である
【０００８】
１上部網は花木の中間を支持する網で平面もしくは、上部に椀状に成形されている。この網の中に花木の茎等を差し込んで配列していくのである。
【０００９】
１上部の網だけでは傾いたり集まったりするので、２中間網を設け１上部網が花木の中間を固定するのに対し、２中間網は花木の配列を考慮しながら射す位置を判断出来るようにしてある。これも平網より多少上下にふくらました方がより効果的である。
また、網は金属、樹脂等素材は限定しない。
【産業上の利用可能性】
【００１０】
日本の文化で冠婚葬祭等花木の果たす役割は非常に多く、どこにでも見られる光景である。そこで、花木を支持するスポンジやロックウール等を使用せず後の処理が不要になったり、花木を分散的に生けて、少量の材料でもボリューム感を持たせてたりすることが出来、産業廃棄物の低減化や花木の減量化が可能になればエネルギーの節約にもなる。
【図面の簡単な説明】
【００１１】
【図１】花木支持金具の実施方法を示した説明図である。（実施例１）
【図２】花木支持金具の容器の形状にあった実施方法を示した説明図である。（実施例２）
【図３】花木支持金具の使用例の図である。（実施例３）
【符号の説明】
【００１２】
１    上部網
２    中間網
３    支柱
４    下部固定金具
５    容器
【図１】
0003105764.tif 000003
【図２】
0003105764.tif 000004
【図３】
0003105764.tif 000005
(57)【要約】      （修正有）【課題】折りたたんだとき、もしくはスライド、回転した時にメインの液晶画面が表にくる携帯電話があるが、そういった、たたんだ時にメインの液晶画面が表に来る携帯電話のボタンの配置を、よりゲームが操作しやすい位置に配置したものを提供する。【解決手段】メイン液晶画面が表に来るようにたたんだ場合、通常の携帯電話の声が聞こえてくる部分２にボタンを配置し、移動等の操作する箇所１を液晶側パーツ３につける。声が聞こえてくる部分２にボタンがついていることで、通話しているときに押してしまいかねない場合は、液晶を表にしたときだけ使用可能にして、液晶を通常通り開いたとき、つまり折りたたんでいないときは使用不能にすればよい。また液晶面から、音が聞こえてくる技術を使用すれば、声が聞こえてくるところに気にせずに、ボタンの配置ができるため、より使い勝手が向上する。【選択図】図１
0003105495.tif 000002
【実用新案登録請求の範囲】
【請求項１】
液晶画面が表にくるように、折りたたむ、もしくはスライドする、もしくは回転させて、たたんだ携帯電話（図２）の一部のボタンの配置を従来の携帯電話で言うところの音が聞こえる側２に配置し、液晶側パーツ３の液晶をはさんで反対側に、移動などに使用する操作ボタン１を配置する（図１）。
【請求項２】
液晶画面が表に来るようにたたんだ携帯電話のボタンの配置を、携帯電話の側面５にも取付ける。ゲームをする画面の上下を考えて、上側に当たるところの、液晶側、もしくはボタン側の側面にも取付ける（図３、図４）。上側の判断は、向かって左側に、移動などのボタン１がきて、右側に音声パーツに配置されたボタン２がくる形状をゲームモード（図２）としたときの上側である。外側のボタンは配置しなくてもよい。
【考案の詳細な説明】
【技術分野】
【０００１】  この考案は、携帯電話でゲームをするときに操作しやすいボタンの配置と、使用方法に関するものである。
【背景技術】
【０００２】  従来の携帯電話で、ゲームなどをするときには、液晶画面とはなれたところにボタンがあり、操作をするときに困難な場合がある。
またほとんどの携帯向けゲームが携帯電話を縦に持って使用し、なおかつ片手で使用するものである。
【考案が解決しようとする課題】
【０００３】  本案の実施により、たたんだときに、メインの液晶画面が表に来る形の携帯電話において、ゲームウォッチに似たスタイルでゲームをすることができるようになるため、携帯電話でゲームをする場合でもゲームがしやすくなり、利便性が向上する。
【課題を解決するための手段】
【０００４】  携帯電話の液晶が表面に来て、携帯を横にして、ゲームをすることを考えて、ボタンを配置する。
【考案を実施するための最良の形態】
【０００５】  ボタンを、従来の音が聞こえる部分２に配置、また移動などの操作をする部分のボタンを液晶側パーツ３の液晶の脇部分４に配置することにより、また側面にもボタンを配置５することにより、ゲームをするときに、より操作がしやすくなる。液晶画面から音が出る技術を用いれば、従来の音が聞こえる部分２に配置するボタンの設置箇所の幅が広がり、操作性が向上する。
【考案の効果】
【０００６】  携帯電話でゲームをするときに、ボタン配置が液晶と離れた位置にあったため、ゲームがしにくかった。また片手で操作することも多く、移動ボタンと、アクションボタンを同時に操作することが困難であった。しかし本案により、液晶画面にボタンが近い上、携帯電話でも移動ボタンとアクションボタンが両手で操作しやすくなる。
【図面の簡単な説明】
【０００７】
【図１】  通常、携帯電話、として使用するモード。通常の折りたたみ式もしくはスライド式、回転式の携帯電話で言うところの声が聞こえる部分に、ボタン２が配置されている以外は通常の携帯電話とほとんど変わることは無いため、理解しやすいだろう。
【図２】  携帯電話を折りたたんだ、もしくはスライドさせたときの図（ゲームモード）  カーソルの移動などに使う操作ボタンと従来の携帯電話の声が聞こえてくる部分に配置されたボタンに注目。ゲームをするときは携帯電話を横、向かって左側に、移動などのボタン１がきて、右側に音声パーツに配置された２の部分がくる形状にして使用することが多くなるだろう。
【図３】  携帯電話を折りたたんだゲームモードのときに側面に配置するボタンを分かりやすく示したもの、この場合は液晶側パーツ３の側面にボタンを配置している。
【図４】  携帯電話を折りたたんだゲームモードのときに側面に配置するボタンを分かりやすく示したもの、この場合は数字ボタン側パーツ４のパーツの側面にボタンを配置している。
【符号の説明】
【０００８】１  カーソルを動かすときなどに使うボタン
２  声が聞こえる部分に配置されたボタン
３  液晶側パーツ
４  数字ボタン側パーツ
５  側面ボタン
【図１】
0003105495.tif 000003
【図２】
0003105495.tif 000004
【図３】
0003105495.tif 000005
【図４】
0003105495.tif 000006
【手続補正書】
【提出日】平成16年6月8日(2004.6.8)
【手続補正１】
【補正対象書類名】実用新案登録請求の範囲
【補正対象項目名】全文
【補正方法】変更
【補正の内容】
【実用新案登録請求の範囲】
【請求項１】
液晶画面が表に来るようにたたんだ携帯電話において、ゲーム用ボタンの配置を、ゲームをする画面の上下を考えて、液晶画面が設けられたボディの上面側、もしくは電話操作ボタン側のボディの上面側にもゲーム用ボタンを取付け、液晶画面をはさんで、左側に移動ボタンを、右側にもゲーム操作用ボタンを配置した携帯電話。
(57)【要約】      （修正有）【課題】おかしや乾物などプラスチック類の袋を開けた後、中身が残った場合袋口を閉じるために、セロハンテ−プ、輪ゴム、クリップなどを探すのに手間取る。【解決手段】袋につけはずしできる両面テ−プをあらかじめつけておくことで袋口の処理がスム−ズにできる。【選択図】図１
0003105498.tif 000002
【実用新案登録請求の範囲】
【請求項１】
おかしや乾物などのプラスチック類の袋に  あらかじめ  つけはずしできる  両面テ−プをセットしたもの
【考案の詳細な説明】
【考案の詳細な説明】
［考案が解決しようとする課題］
【０００１】袋を開けた後  中身が残った場合  袋口を閉じるのに困る
［課題を解決するための手段］
【０００２】あらかじめ  つけはずしできる両面テ−プをつけておくことで  すぐに袋口を閉じられる
［考案の効果］
【０００３】袋を閉じるのにセロハンテ−プ  輪ゴム  クリップなどを探す手間がはぶける
【図面の簡単な説明】［図１］
袋に両面テ−プををつけた図である
【符号の説明】
１  袋本体
２  口部分
３  つなぎ部分
４  両面テ−プ
【図１】
0003105498.tif 000003
【手続補正書】
【提出日】平成16年6月16日(2004.6.16)
【手続補正１】
【補正対象書類名】実用新案登録請求の範囲
【補正対象項目名】全文
【補正方法】変更
【補正の内容】
【実用新案登録請求の範囲】
【請求項１】
おかしや乾物などのプラスチック類の袋の  のりしろ部分内側に  あらかじめ  つけはずしできる  両面テープをセットした仮止めテープ付き袋
(57)【要約】【課題】  理髪用のすき鋏のすき毛の目詰りをなくすことを目的としたすき鋏を提供する。【解決手段】  すき鋏の櫛状の目の底の刃を山形の傾斜面とすることによって、すき切られた毛が傾斜面に従って流れ落るため毛の目詰りを防ぐことが出来る。【選択図】  図２
0003105497.tif 000002
【実用新案登録請求の範囲】
【請求項１】
理髪用すき鋏において、すき歯の目（１）の底の刃形（２）を山形状（３）の傾斜面としたことを特徴とした理髪用すき鋏。
【考案の詳細な説明】
【技術分野】
【０００１】  本考案は、理髪店で使用するすき鋏の刃の形状に関する。
【背景技術】
【０００２】  一般に使用されている理髪用のすき鋏は、櫛状のすき刃と直線状の棒刃によって構成されていて、髪の伸びた箇所に当てて髪をすき切って軽い感じにするときに用いるものである。
【特許文献１】  特開平５−１２３４５９号公報
【考案の開示】
【考案が解決しようとする課題】
【０００３】  理髪用のすき鋏は、櫛状に形成された櫛刃と直線状の棒刃によって形成されていて、櫛状の櫛歯の目に入った髪をすき切るものであって、髪の多い人のときは、この櫛の目に切った髪が詰まり、使用者は仕事の手を止めてこの詰った髪を落すために鋏を振ったり、手で取り除く等の仕種が必要となる。
【課題を解決するための手段】
【０００４】  考案者は、この点に鑑み種々試作を重ねた結果本考案に到達したものであって、従来からのすき鋏は櫛歯の目の底が図４の断面図に示されているように、平面状の刃であるために髪が詰る原因となっていたが、この目の底の刃の部分を図３の断面に示すように山型に傾斜を形成することによって、切った髪の毛は刃の傾斜によって直ちに落下するもので、使用者は作業の手を止めて落す必要がなく円滑な作業ができる。
【考案を実施するための最良の形態】
【０００５】  本考案において、刃の山型の傾斜角度については特に限定することはないが、図３の断面図に示すような形状で十分である。
【実施例】
【０００６】  添付図面により本考案のすき刃を説明すると、図１は、すき鋏のすき刃Ａの平面図であって、櫛状の目（１）が形成され、この目（１）の底に傾斜（３）を設けた刃（２）が形成されている。【０００７】  図２は櫛状の目（１）が細かいので拡大した図を示す。図３は、図２のＸ−Ｘ拡大断面図を示している。この図３に刃（２）が片寄りの山型として示しているが、特にこの形状は図示の山型に限ることなく、片流れの傾斜面でも、また普通の山形でも同様の作用効果を奏する。【０００８】  本考案のすき鋏のすき刃Ａは、刃の形状を傾斜面（３）とすることにより、すき取った髪は傾斜面（３）によりすき切った直後に落下するため髪の目詰りのおそれがない。なお図示では鋏を構成する棒刃は作図上省略する。
【産業上の利用可能性】
【０００９】  上述のように、本考案のすき鋏は使い易い点を考えると理髪店での利用の可能性は大きい。
【図面の簡単な説明】
【００１０】
【図１】  すき鋏のすき刃の平面図
【図２】  一部の拡大図
【図３】  図２のＸ−Ｘ拡大断面図
【図４】  従来の刃の断面図
【符号の説明】
【００１１】  （１）…櫛状の目
（２）…刃の断面
（３）…刃の傾斜面
Ａ…すき鋏のすき刃
【図１】
0003105497.tif 000003
【図２】
0003105497.tif 000004
【図３】
0003105497.tif 000005
【図４】
0003105497.tif 000006
(57)【要約】      （修正有）【課題】従来の手袋の保温性には富むが、機能性には欠けると云う短所を克服し、しかもファッション性をも兼ね備えた手袋を提供する。【解決手段】自在に開閉できる紐１とストッパー２を活用することにより、上記課題を解決した。【選択図】図１
0003105493.tif 000002
【実用新案登録請求の範囲】
【請求項１】
指先を開放した手袋で、その部分を絞める（ゴム）紐とストッパーを取り付けたことによって、指先の開閉が自在になる機能性とファッション性を追求した手袋。
【考案の詳細な説明】
【技術分野】
【０００１】  本考案は指先が開放された手袋で、指先にその部分を締める紐とストッパーを取り付けることにより、指先の開閉が自在になる手袋に関するものである。
【背景技術】
【０００２】  従来の手袋は、５本指のものと、４本指の部分が１つになったミトン、指切り手袋の３種類である。
【考案の開示】
【考案が解決しようとする課題】
【０００３】  ５本指の手袋は、保温性には富むが、指先を使う場合どうしても手袋をはずす必要があり、ミトンもそれ以上に手指の使用という機能には問題がある。また、指切り手袋も保温機能に欠ける。この考案は、そのような従来の手袋の短所を克服し、しかもファッション性をも兼ねそなえた手袋お目指すものである。
【課題を解決するための手段】
【０００４】  本考案は、手袋の指先部分に自在に開閉可能な紐とストッパーを活用することにより、従来の手袋の課題を解決した。
【考案の効果】
【０００５】  従来の手袋の課題、問題点を解消した上に、ファッション性も兼ね備えているので、顧客を満足させることができる。
【考案を実施するための最良の形態】
【０００６】  手袋の指先部を【０００４】の通り工夫することで、課題を解決したが、テストマーケティングの結果は手袋を脱がないでいろんなことができ、ファション性もあるため高評価を得ている。
【図面の簡単な説明】
【０００７】
【図１】考案の機能性とファッション性を追求した手袋の裏面図である。
【図２】考案の手袋の表面図である。
【図３】保温のために、指先まで閉じた場合の表面図である。
【図４】保温ではなく、ファッション的に使用した場合の表面図である。
【符号の説明】
【０００８】１．ゴム紐
２．ストッパー
３．手袋の甲部
４．手袋の平部
５．手袋の親指部
【図１】
0003105493.tif 000003
【図２】
0003105493.tif 000004
【図３】
0003105493.tif 000005
【図４】
0003105493.tif 000006
【手続補正書】
【提出日】平成16年6月15日(2004.6.15)
【手続補正１】
【補正対象書類名】実用新案登録請求の範囲
【補正対象項目名】全文
【補正方法】変更
【補正の内容】
【実用新案登録請求の範囲】
【請求項１】
指先を開放した手袋で、その部分を絞めるゴム紐とストッパーを取り付けたことによって、指先の開閉が自在になる、機能性とファッション性を追求した手袋。
(57)【要約】      （修正有）【課題】釣り用、特にイカの釣りにおいて、釣り用ピストル把手形投入器の握り部分が回転防止形かつグリップを設け、舟べりにも取付けできるように形成させて、あたかもピストルの把手形に形成させる。【解決手段】釣り用ピストル把手形投入器の握り部分に、回転防止の滑り止めグリップ４を設け、あたかもピストルの把手形に相似した形状とし、舟べりには、竿掛けを取付けて、人の把手以外でも使えるようにする。【選択図】図１
0003105496.tif 000002
【実用新案登録請求の範囲】
【請求項１】
等辺山形鋼を本体（１）とし、前記（１）に管の先端を楔形の回転防止形を（２）とし、前記（２）に握りやすいようにグリップを設けて形成し釣り用ピストル把手形投入器と柱形投入器また、柱形投入器伸縮管の先端を楔形にし前記の（２）に挿入し舟べりに取付もできるように形成したことを特徴とする釣り用ピストル把手形投入器。
【考案の詳細な説明】
【考案の詳細な説明】
【技術分野】
【０００１】本考案は釣具において、動作上の人体の疲れを防止し、釣り現場において快適な環境を維持する技術に関わるものである。
【背景技術】
【０００２】専門的に業としない釣りについては、釣針は胴の所を片手に数本を持って投入の順番に並べ針は上向きにし錘から１個１個と投入する。投入のさいに手に引っ掛かかったり怪我したり又、市販されている筒型投入器は投入は可能ですが巻き上げの時前記と同様で不安全な動作で行っている。【０００３】また巻き上げる時も片手に針胴を持って針を上向きして１個２個と回収するが、その時に錘の重さが常に片手にかかる。【０００４】針胴を常に力強く握らないとスッポ抜けになるような不便さがあり複雑でもあり怪我の多発を生じていた。
【考案が解決しょうとする課題】
【０００５】本考案は前記従来の技術で述べたような釣りに関する不利不便を解消し、諸々の不安全な動作を是正し、諸々の不安全な動作の取り扱いを解消させ、かつ釣り人の疲労も少なくすることを課題として成された。
【課題を解決するための手段】
【０００６】本体に釣り用ピストル把手形投入器と柱形投入器と釣針も少数、多数と取り付けられることができるようにする。
【０００７】前記把手形投入器は釣針が少数であっても設けることが出来る。
【０００８】前記柱形投入器は釣針を多数設けることが出来る。
【０００９】前記投入する場合はスームズに釣針が投入出来る。
【００１０】投入後速やかに操作棒を閉の状態にする。
【考案を実施するための最良の形態】本項の実施の形態は、前項の「課題を解決するための手段」と重複する箇所も多く、また実施の例は次項の「実施例」に詳記してあるので本項は主に作用について記述する。【００１１】把手形投入器は釣り人の体力に合わせる。【００１２】また柱形投入器は釣り人の身長に合わせて伸縮管の高さを調整して固定する。【００１３】前記に本体を挿入する。【００１４】本体の操作棒閉の状態を確認し本体の根元から竿側の近釣針側を順序よく並べて掛ける。【００１５】前記に錘を取り付ける。【００１６】投入する場合は操作棒開の状態にする。【００１７】また糸を巻き上げる場合、操作棒閉の状態にする。【００１８】前記糸を巻き上げ針は本体の根元側から順序よく並べて掛ける。【００１９】本体に釣針が装備したまま舟が移動時、揺れても操作棒閉の状態で外れない。
【考案の効果】
【００２０】手に引っ掛かかったり怪我したりすることなく、且つ安全に素早く投入できる。
【００２１】初心者でも気楽に出来る。
【００２２】身体の疲労が減少する。
【００２３】本体に釣針を簡単に掛けられる。
【００２４】獲物が増大する。
【００２５】舟内移動時も又、収納する時も本体に釣針を掛けて本体突起の所にカバーの溝に挿入し、その反対の先端側に輪ゴム等で押さえる。
【００２６】軽量で持ち運び簡単である。
【図面の簡単な説明】
【図１】本考案品の総体的斜視図。
【符号の説明】
１    等辺山形鋼
２    把手形投入器
３    柱形投入器伸縮管
３ａ  伸縮器
３ｂ  舟べり等に取り付け管
３ｃ  竿掛けに取り付けるボルト
３ｄ  楔形
４    滑り止めグリップ
５    カバー止め
６    針の滑り止め又は、操作棒閉の状態
７    上記６の操作棒投入フック
８    上記６の投入開の状態
９    カバーの凹の所に上記５に挿入
１０，  道糸へ
１１，  錘へ
１２，  イカ針
【図１】
0003105496.tif 000003
【手続補正書】
【提出日】平成16年6月23日(2004.6.23)
【手続補正１】
【補正対象書類名】実用新案登録請求の範囲
【補正対象項目名】全文
【補正方法】変更
【補正の内容】
【実用新案登録請求の範囲】
【請求項１】
等辺山形鋼を本体（１）とし、前記本体（１）に把手形投入器（２）の先端を楔形に構成して固定し、それに握りやすいように滑り止めグリップ（４）を設け又、前記把手形投入器（２）に柱形投入器伸縮管（３）の先端を楔形回転防止形（３ｄ）として前記把手形投入器（２）に挿入し、柱形投入器伸縮管（３）の管（３ｂ）を舟べりに取り付けもでき又、竿掛け（３ｃ）にも取付もできるように形成して釣り用ピストル把手形投入器と柱形投入器を形成したことを特徴とする釣り用ピストル把手形投入器。
(57)【要約】      （修正有）【課題】歯の衰えた人のため、食事を楽しくできるよう新しい形態の鋏を提供する。【解決手段】刃を４枚刃又は６枚刃にした鋏を作る。【選択図】図１
0003105494.tif 000002
【実用新案登録請求の範囲】
【請求項１】
鋏の刃が４枚または、６枚連動して物を切断できる鋏。
【考案の詳細な説明】
【技術分野】
【０００１】高齢化で歯の衰える人が増え、食事が満足にできない。
それを補うための食事用新形鋏を作る。
【背景技術】
【０００２】従来の鋏は２枚の刃で物を切断するようになっているが、食事用に特別な形態では作られてはいない。
【考案の開示】
【考案が解決しようとする課題】
【０００３】食事の時、歯の衰えのため、そのまま食べることが出来ない人のため硬い物や、弾力のある食物を食べやすく切ることができる鋏。
【課題を解決するための手段】
【０００４】従来２枚刃の鋏を４枚または６枚にする。
【考案の効果】
【０００５】従来２枚刃の鋏を、４枚刃又は６枚刃にすることで物と物を同時に２箇所または３箇所はさむことにより、すべったりせず簡単に切断できる。
【考案が実施するための最良の形態】
【０００６】鋏と鋏を２個又は３個連結してあり、一度で同時に切断することができ、そのアームは食事時に適合した形態になっている。
【実施例１】
【０００７】図１は本考案の斜視図と側面図であるが、斜視図の１は下部２枚の刃で、５で接続してあり、２は上部２枚の刃で６で接続され、３と４のアームで７の鋏主軸を中心に切断動作ができる。
【産業上の利用可能性】
【０００８】
【図面の簡単な説明】
【０００９】
【図１】４枚刃鋏の斜視図と側面図である
【図２】６枚刃鋏の斜視図である
【符号の説明】
【００１０】    １  下部の刃
２  上部の刃
３  下部の刃より接続アーム
４  上部の刃より接続アーム
５  下部の刃接続部
６  上部の刃接続部
７  鋏主軸
【図１】
0003105494.tif 000003
【図２】
0003105494.tif 000004
【手続補正書】
【提出日】平成16年6月16日(2004.6.16)
【手続補正１】
【補正対象書類名】実用新案登録請求の範囲
【補正対象項目名】全文
【補正方法】変更
【補正の内容】
【実用新案登録請求の範囲】
【請求項１】
２枚刃を２個又は３個、平行して  連結し、鋏の刃が４枚又は、６枚連動して物を切断できる鋏。
(57)【要約】      （修正有）【課題】蒸パン及び中華マンの具材と蒸パン生地との関係を、最後までバランス良く食べられるように、蒸パン生地と具材を重ねて層にした蒸パン及び中華マンを提供する。【解決手段】蒸パン生地を薄く伸ばし３層から４層にし、その生地と生地との間に具材を入れて蒸したもので、生地と具材がバランスよく重ね合っているので、最後までバランスよく食べられる。【選択図】図３
0003105492.tif 000002
【実用新案登録請求の範囲】
【請求項１】
蒸マン生地を薄く伸ばし、その上に具材を乗せ、また、具材の上に薄く伸ばした生地を乗せ、その生地の上に具材を乗せるという作業を繰り返し、蒸マン生地と具材で何層もの層を作り蒸し、蒸パンに仕上げるところが実用新案登録の請求範囲です。
【考案の詳細な説明】
【技術の分野】
【０００１】三層饅頭は蒸パンなので蒸パン生地を発酵させ成形して蒸し上げて仕上げる商品です。
【背景技術】
【０００２】今までの蒸パン及び中華マンはパンの中心に具材を入れて蒸し器で蒸上げた商品でした。今までの蒸パン及び中華マンは生地の厚さと具材の量のバランスが悪いために、食べているうちに、生地だけのときも有れば、具材だけを食べてしまう事もあり、食べ終わるころには、ほとんど生地の部分しか残っておらず味気ない思いをしていました。
【考案が解決しようとする課題】
【０００３】このたび考案した  三層饅頭は、生地と具材のバランスを良くし、食べ終わるときにも生地だけが残るようなことのないように考案された商品です。
【考案を解決するための手段】
【０００４】今回考案した三層饅頭は、蒸パン生地を薄く伸ばし３層から４層にし、その生地と生地の間に具材を入れて蒸した商品ですので、どこから食べてもまた、食べ終わるころでも生地と具材がバランス良く重ね合っているので、最後まで美味しく食べられます。
【考案の効果】
【０００５】どこから食べても、食べ終わるころでも、具材と生地がバランス良く食べられる。
【図面の簡単な説明】
【０００６】
【図１】三層饅頭の平面図
【図２】三層饅頭の立面図
【図３】三層饅頭の断面図  蒸パン生地で周りを覆っている。また具材と具材を蒸パン生地でサンドしている図です。
【図１】
0003105492.tif 000003
【図２】
0003105492.tif 000004
【図３】
0003105492.tif 000005
【手続補正書】
【提出日】平成16年6月21日(2004.6.21)
【手続補正１】
【補正対象書類名】実用新案登録請求の範囲
【補正対象項目名】全文
【補正方法】変更
【補正の内容】
【実用新案登録請求の範囲】
【請求項１】
蒸マン生地を薄く伸ばし、その上に具材を乗せ、また、具材の上に薄く伸ばした生地を乗せ、その生地の上に具材を乗せるという作業を繰り返し、蒸マン生地と具材で何層もの層を作り蒸し、蒸パンに仕上げてなる３層饅頭。